(57)【要約】【課題】携帯して移動する際、落としたり失くしたりすることなく、また、収納場所からも見つけやすい携帯型メモリを提供すること。【解決手段】前方を開口端面とするハウジングと、該ハウジングに被包され、ＲＯＭ、或は、読み書き可能な不揮発性メモリを搭載した回路基板と、該回路基板の前方に位置付けられ、前端がコンピュータの汎用周辺機器接続ポートに対して着脱自在な接続端子であると共に、後端が前記回路基板の前端部と電気的に接続されたコネクタを備えた携帯型メモリを、前方を開口し内部に前記メモリを密挿できる中空に形成した外殻体の当該中空部分に納めると共に、該外殻体に屈曲自在な可撓性であって先端に一体成形した環状部を有する適宜長さのストラップを延設し、この環状部に前記外殻体を貫通させたときに当該ストラップが形成する輪を利用して、前記メモリを携帯する者の適宜箇所へ提げ札状に係留すること。【選択図】図４
0003127244.tif 000002
【実用新案登録請求の範囲】
【請求項１】
前方を開口端面とするハウジングと、該ハウジングに被包され、ＲＯＭ、或は、読み書き可能な不揮発性メモリを搭載した回路基板と、該回路基板の前方に位置付けられ、前端がコンピュータの汎用周辺機器接続ポートに対して着脱自在な接続端子であると共に、後端が前記回路基板の前端部と電気的に接続されたコネクタを備えた携帯型メモリを、前方を開口し内部に前記メモリを密挿できる中空に形成した外殻体の当該中空部分に納めると共に、該外殻体に屈曲自在な可撓性であって先端に一体成形した環状部を有する適宜長さのストラップを延設し、この環状部に前記外殻体を貫通させたときに当該ストラップが形成する輪を利用して、前記メモリを携帯する者の適宜箇所へ提げ札状に係留できることを特徴とする携帯型メモリ。
【請求項２】
接続端子に取付可能な蓋体を、前記外殻体と一体に、或は、別体に備えた請求項１の携帯型メモリ。
【請求項３】
接続端子は、ＵＳＢポートに対して着脱自在である請求項１又は２の携帯型メモリ。
【請求項４】
外殻体、ストラップ及び蓋体は、熱可塑性エラストマを素材とし、かつ、該ストラップは幅及び厚さを外殻体の外寸の略３分の１、長さを略４倍に形成した請求項３の携帯型メモリ。
【考案の詳細な説明】
【技術分野】
【０００１】
本考案は、携帯型メモリに関し、特に、携帯して移動する際、落としたり失くしたりしないようにした携帯型メモリに関する。
【背景技術】
【０００２】
コンピュータの情報を記録する媒体として用いられるメモリカードやメモリスティック等のフラッシュメモリは、データを保存した後、携帯移動して別のコンピュータでこれを読み取り使用できるという有用性から、現在、その普及率はきわめて高いものとなっている。
【０００３】
然し乍ら、メモリ自体の小型化が進んだため、移動に際して落としたりすることがあって、格納した重要な情報を失いかねない。また、メモリを一旦机の引出しや鞄などに収納すると、小型であるが故に、再び探し出すのも煩となる場合がある。
【考案の開示】
【考案が解決しようとする課題】
【０００４】
本考案は上記のような事情に鑑み、携帯して移動する際に紛失等することなく、また、収納場所からも見つけやすい携帯型メモリを提供することを課題とする。
【課題を解決するための手段】
【０００５】
上記課題を解決することを目的としてなされた本考案携帯型メモリの構成は、前方を開口端面とするハウジングと、該ハウジングに被包され、ＲＯＭ、或は、読み書き可能な不揮発性メモリを搭載した回路基板と、該回路基板の前方に位置付けられ、前端がコンピュータの汎用周辺機器接続ポートに対して着脱自在な接続端子であると共に、後端が前記回路基板の前端部と電気的に接続されたコネクタを備えた携帯型メモリを、前方を開口し内部に前記メモリを密挿できる中空に形成した外殻体の当該中空部分に納めると共に、該外殻体に屈曲自在な可撓性であって先端に一体成形した環状部を有する適宜長さのストラップを延設し、この環状部に前記外殻体を貫通させたときに当該ストラップが形成する輪を利用して、前記メモリを携帯する者の適宜箇所へ提げ札状に係留できることを特徴とするものである。
【０００６】
上記構成の本考案携帯型メモリにおいて、外殻体はその中空部を、ハウジングの全長の一部を残して密挿できる深さに形成し、従って、外殻体の中空部からはみ出した部分にある接続端子とそのハウジングに被せる蓋体を外殻体と一体に、或は、別体に備える構成としてもよい。なお、延設するストラップは鎖状でもよい。また、外殻体、ストラップ及び蓋体を熱可塑性エラストマ素材の成形体とし、かつ、当該ストラップはその幅及び厚さを当該外殻体の外寸の略３分の１に、長さを略４倍程度に形成する構成としてもよい。
【０００７】
さらに、上記接続端子は、ＵＳＢポートへ着脱自在な構成としてもよい。
【考案の効果】
【０００８】
本考案は、外殻体から延設したストラップの先端域にある環状部へ当該外殻体を挿通したときに形成される輪を利用することにより、メモリを被服や鞄などの適宜箇所へ提げ札状に係留できる。また、ストラップを延設したことにより、外殻体に納められたメモリは、先端に環状部を有する長い帯乃至紐状部分を備えるので、収納場所においてもその一部が露出して目に付き易く、又は、手に触れ易い。この結果、メモリを携帯して移動するに際して格納したデータごとこれを落下紛失し、或は、一旦収納するとなかなか見つけられないといった事態を回避できる。
【考案を実施するための最良の形態】
【０００９】
次に、本考案の実施の形態例について、図に拠り説明する。図１は本考案携帯型メモリにおいて外殻体に納められたハウジング、回路基板、コネクタを仮想線で表した正面図、図２は図１の側面図、図３はストラップの環状部に外殻体を挿通し輪を形成した状態を例示した斜視図、図４は提げ札状に係留した本考案携帯型メモリの保持態様を例示した斜視図、図５は蓋体の一例を示した斜視図である。
【００１０】
図１において、１は本考案に係る携帯型メモリであって、メモリを搭載した回路基板４及びコネクタ５と、これらを被包するハウジング３と、このハウジング３を中空部に密挿する外殻体２からなっている。なお、紙面に対して下方を前方、上方を後方として記述している。
【００１１】
本実施例において、外殻体２は、柔軟な熱可塑性エラストマ材を幅１７ｍｍ、高さ７．５ｍｍ、奥行き２１ｍｍの略直方体の箱形に、また、ハウジング３は、ステンレス材を幅１２ｍｍ、高さ５．５ｍｍ、奥行き３３ｍｍの箱形に形成してなり、外殻体２の前面にある開口部から通じる中空にはハウジング３を隙間なく納めることができる。ハウジング３の開口端面は、本実施例ではＵＳＢポートの形状と合致するよう略四角形状に形成されているが、接続するポートの形状に応じ、円形等に形成することは任意である。また、外殻体２は、熱可塑性エラストマに限らず、熱硬化性の合成樹脂、或は、金属等を素材としてもよい。
【００１２】
ハウジング３は、不揮発性のフラッシュメモリ（図示せず）を搭載した回路基板４と、該回路基板４の前方に位置するコネクタ５をその内部に支持している。この回路基板４とコネクタ５は電気的に接続されており、ハウジング３に一体となって納められる。従って、ハウジング３の開口端面からメモリ１をコンピュータの接続ポートへ挿着すれば、フラッシュメモリはコネクタ５の接続端子Ｊに露出する複数片の導電ストリップ５１を接合部として接続され、データの読み書きを行うことができる。接続端子Ｊには、導電ストリップ５１を保護するための蓋体６を取付けることができる。蓋体６は、ハウジング３の開口端面と合致する形状の開口端面を有し、また、外殻体２と同一の素材によって成形するのが美観、コストの面からも好ましい。なお、メモリはフラッシュメモリに限るものではなく、本考案はＲＯＭを含め、各種の不揮発性メモリにも有効である。
【００１３】
フラッシュメモリが小型化して、携帯型メモリ１としても小型のまま商品化できるようになったが、この結果、移動時に落下紛失しやすい等の新たな不都合が生じている点については、既に述べたとおりである。そこで、本考案は、外殻体２から先端に環状部２２を備えるストラップ２１を延設したことによって上述の不都合を解消したので、以下に説明する。
【００１４】
外殻体２の後方にはストラップ２１を延設してあり、その幅及び厚さは当該外殻体２の外寸の略３分の１、長さは略４倍程度に成形してある（図１〜図４参照）。このストラップ２１は、柔軟な熱可塑性エラストマ材によって外殻体２と一体成形してあり、また、柔軟素材ゆえに可撓性を有し、屈曲自在である。ストラップ２１の先端部には環状部２２を設けており、外殻体２を挿通可能な程度の大きさに形成している。環状部２２は環に相当する閉じた領域を有すればよいため、三角形、四角形等の多角形、或は、楕円形等に形成することは任意である。
【００１５】
環状部２２に外殻体２を貫通させると、図３において示すように、ストラップ２１はその中間域において輪Ｒを形成する。この輪Ｒを利用すれば、メモリ１を携帯して移動する者の鞄の把手やベルト用ループなどの適宜箇所にこれを懸吊して、提げ札状に係留することが可能である（図４参照）。この結果、移動等に際してメモリ１を落下紛失するという問題は解消される。
【００１６】
また、ストラップ２１を延設したことによって、携帯型メモリ１は全体として４〜５倍程の長さをなすことになるため、収納された場所でも全体が埋没してしまうようなことはなく、目に付いて、或は、手に触れて探し出し易い。
【産業上の利用可能性】
【００１７】
本考案は以上の通りであって、外殻体から延設したストラップの先端域にある環状部へ当該外殻体を挿通したときに形成される輪を利用することにより、メモリを鞄や被服などの適宜箇所へ提げ札状に係留でき、また、ストラップを延設したことにより、外殻体に納まった携帯型メモリは、先端に環状部を有する長い帯乃至紐状部分を備えているので、収納場所においてもその一部が露出して目に付き易く、或は、手に触れ易いため、結果として、携帯型メモリを携帯し移動するに際して格納したデータごとこれを落下紛失したり、又は、一旦収納するとなかなか見つけられないといった事態を回避できるという効果を有するから、携帯型メモリに適用して極めて有用である。
【図面の簡単な説明】
【００１８】
【図１】本考案携帯型メモリにおいて外殻体に納められたハウジング、回路基板、コネクタを仮想線で表した正面図。
【図２】本考案携帯型メモリにおいて外殻体に納められたハウジング、回路基板、コネクタを仮想線で表した側面図。
【図３】ストラップの環状部に外殻体を挿通し輪を形成した状態を例示した斜視図。
【図４】提げ札状に係留した本考案携帯型メモリの保持態様を例示した斜視図。
【図５】蓋体の一例を示した斜視図。
【符号の説明】
【００１９】
１    携帯型メモリ
２    外殻体
２１  ストラップ
２２  環状部
３    ハウジング
４    回路基板
５    コネクタ
５１  導電ストリップ
６    蓋体
Ｊ    接続端子
Ｒ    輪
【図１】
0003127244.tif 000003
【図２】
0003127244.tif 000004
【図３】
0003127244.tif 000005
【図４】
0003127244.tif 000006
【図５】
0003127244.tif 000007